(57)【要約】【課題】小型化した同軸コネクタを提供する。【解決手段】同軸コネクタ１０は、ハウジング１と円筒状のシェル２を備える。又、同軸コネクタ１０は、中心コンタクト３と一組の誘電体４ａ・４ｂを備える。ハウジング１は、同軸プラグ２０を導入できる収容室１１を一端部側に有する。シェル２は、プリント基板９ｐの一方の面９１ｐと略平行に、ハウジング１の他端部側に突出し、軸方向に湾曲して、プリント基板９ｐの一方の面９１ｐに至っている。中心コンタクト３は、シェル２の内部に配置され、シェル２の軸中心に沿って、シェル２と同軸に配置されている。一組の誘電体４ａ・４ｂは、シェル２の内部に収容され、中心コンタクト３を中心部に支持している。シェル２は、一組の誘電体４ａ・４ｂを中心コンタクト３の軸方向に離隔して配置し、シェル２は、一組の誘電体４ａ・４ｂの間に比誘電率の小さい空気層Ａｓを設けている。【選択図】図９
2018063892.tif 000002
【特許請求の範囲】
【請求項１】
プリント基板の一方の面に実装でき、同軸ケーブルの端末に接続した相手側同軸コネクタを着脱自在に接続できる同軸コネクタであって。
前記相手側同軸コネクタを導入自在に一方の面を開口した収容室を一端部側に有する直方体状のハウジングと、
前記プリント基板の一方の面と略平行に、前記ハウジングの他端部側に突出し、軸方向に湾曲して前記プリント基板の一方の面に至る、円筒状のシェルと、
前記シェルの軸中心に沿って、当該シェルの内部に当該シェルと同軸に配置された中心コンタクトと、
前記シェルの内部に収容されると共に、前記中心コンタクトを中心部に支持する一組の円板状の誘電体と、を備え、
前記シェルは、一組の前記誘電体を前記中心コンタクトの軸方向に離隔して配置し、一組の前記誘電体の間に空気層を設けている、同軸コネクタ。
【請求項２】
前記中心コンタクトは、一組の前記誘電体を一体モールドし、
前記シェルは、一組の前記誘電体を外周方向から囲う、半円筒状の一組の分割シェルからなる、請求項１記載の同軸コネクタ。
【請求項３】
一組の前記分割シェルは、外周の端縁同士をレーザー溶接で接合している、請求項２記載の同軸コネクタ。
【請求項４】
前記ハウジングは、前記相手側同軸コネクタに設けたロックレバーを係止自在なラッチ溝を前記収容室の内壁に穿設している、請求項１から３のいずれかに記載の同軸コネクタ。
【請求項５】
前記ハウジングは、当該ハウジングの両側面に固定し、前記プリント基板の一方の面に底面をハンダ接合自在な一対の補強タブ板を更に備える、請求項１から４のいずれかに記載の同軸コネクタ。
【発明の詳細な説明】
【技術分野】
【０００１】
本発明は、同軸コネクタに関する。特に、プリント基板に実装できる同軸コネクタであって、同軸ケーブルの端末に接続した相手側同軸コネクタが着脱自在な同軸コネクタの構造に関する。
【背景技術】
【０００２】
一般に、ＥＴＣ車載器などは、プリント基板を内部に配置している。例えば、このプリント基板は、丸形の同軸コネクタを実装している。この同軸コネクタには、同軸ケーブルの端末に接続した相手側同軸コネクタを着脱できる。同軸ケーブルは、他方の端末にアンテナを接続している。そして、相手側同軸コネクタを同軸コネクタに接続することで、アンテナからプリント基板に高周波信号を受信でき、又は、プリント基板からアンテナに高周波信号を送信できる。
【０００３】
このような丸形の同軸コネクタには、一般に、外周方向に同軸ケーブルを延在させた丸形の相手側同軸コネクタが接続されている。この丸形の同軸コネクタは、プリント基板の一方の面に対して、相手側同軸コネクタが垂直方向から着脱できる垂直取付形コネクタ、いわゆる、トップエントリータイプの同軸コネクタになっている。
【０００４】
一方、プリント基板の一方の面に対して、同軸ケーブルの軸方向に固定した角形の相手側同軸コネクタが水平方向から着脱できる水平取付形コネクタ、いわゆる、サイドエントリータイプの同軸コネクタも開発されている。
【０００５】
このようなサイドエントリータイプの同軸コネクタにあっては、Ｌ字状の中心コンタクトの周囲をＬ形誘電体棒で一体モールドすると共に、このＬ形誘電体棒を外周方向から一対のＬ形筒状分割シェルで挟持した同軸コネクタが開示されている（例えば、特許文献１参照）。
【０００６】
又、このようなサイドエントリータイプの同軸コネクタにあっては、Ｌ形誘電体棒の中心部にＬ字状の中心コンタクトを内装すると共に、このＬ形誘電体棒を外周方向から一対の鍔付きＬ形筒状分割シェルで挟持した同軸コネクタが開示されている（例えば、特許文献２参照）。
【先行技術文献】
【特許文献】
【０００７】
【特許文献１】特開２００２−２７０３１１号公報
【特許文献２】米国特許第５１１６２４５号明細書
【発明の概要】
【発明が解決しようとする課題】
【０００８】
図１１は、第１の従来技術による同軸コネクタの構成を示す斜視図である。図１２は、第１の従来技術による同軸コネクタに備わる一組のＬ形誘電体棒の構成を示す斜視図である。図１３は、第１の従来技術による同軸コネクタに備わる一組のＬ形筒状分割シェルの構成を示す斜視図である。
【０００９】
図１４は、第１の従来技術による同軸コネクタに備わる接地板、及び、一組の筒状シェルの構成を示す斜視図である。図１５は、第１の従来技術による同軸コネクタの要部の構成を縦断面で示す斜視図である。図１６は、第１の従来技術による同軸コネクタの構成を示す斜視図であり、同軸コネクタを底面側から観た状態図である。
【００１０】
なお、本願の図１１から図１４は、特許文献１の図１から図４に相当している。又、本願の図１５と図１６は、特許文献１の図７と図１１に相当している。
【００１１】
図１１から図１６を参照すると、第１の従来技術による同軸コネクタ８は、直方体状のハウジング８１と矩形の接地板８２を備えている。又、同軸コネクタ８は、一組のＬ字状の中心コンタクト８３ｃ・８４ｃ、一組のＬ形誘電体棒８３ｄ・８４ｄ、及び、一組のＬ形筒状シェル８３ｓ・８４ｓを備えている。接地板８２は、一組の筒状シェル８５・８６を備えている。
【００１２】
図１５を参照すると、中心コンタクト８３ｃは、導電性を有する細径棒状部材からなり、一端部側に対して他端部側を略直角に折り曲げている。中心コンタクト８３ｃは、図示しないプリント基板にハンダ接合できるＤＩＰ端子８３ｔを他端部側の端部に有している（図１５又は図１６参照）。
【００１３】
同様に、図１５を参照すると、中心コンタクト８４ｃは、導電性を有する細径棒状部材からなり、一端部側に対して他端部側を略直角に折り曲げている。中心コンタクト８３ｃは、図示しないプリント基板にハンダ接合できるＤＩＰ端子８４ｔを他端部側の端部に有している（図１５又は図１６参照）。
【００１４】
図１２又は図１５を参照すると、Ｌ形誘電体棒８３ｄは、中心コンタクト８３ｃの一端部側の一部及びＤＩＰ端子８３ｔが露出するように、中心コンタクト８３ｃの周囲を円柱状に一体成形している。同様に、Ｌ形誘電体棒８４ｄは、中心コンタクト８４ｃの一端部側の一部及びＤＩＰ端子８４ｔが露出するように、中心コンタクト８４ｃの周囲を円柱状に一体成形している。
【００１５】
図１３又は図１５を参照すると、Ｌ形筒状シェル８３ｓは、一組のＬ形筒状分割シェル８３１・８３２で構成している。これらのＬ形筒状分割シェル８３１・８３２は、中心コンタクト８３ｃ付きＬ形誘電体棒８３ｄを外周方向から包囲できる。
【００１６】
同様に、図１３又は図１５を参照すると、Ｌ形筒状シェル８４ｓは、一組のＬ形筒状分割シェル８４１・８４２で構成している。これらのＬ形筒状分割シェル８４１・８４２は、中心コンタクト８４ｃ付きＬ形誘電体棒８４ｄを外周方向から包囲できる。
【００１７】
図１４又は図１５を参照すると、筒状シェル８５は、導電性を有する筒状部材からなり、矢印Ｘ方向から図示しない相手側同軸コネクタを内部に導入できる。又、筒状シェル８５は、その他方の端部からＬ形誘電体棒８３ｄを挿入できる（図１５参照）。図１５を参照して、図示しない相手側同軸コネクタを筒状シェル８５の内部に導入すると、図示しない相手側中心コクタクトを中心コンタクト８３ｃに接続できる。つまり、中心コンタクト８３ｃは、同軸ケーブルの芯線と電気的に接続できる。
【００１８】
同様に、図１４又は図１５を参照すると、筒状シェル８６は、導電性を有する筒状部材からなり、矢印Ｘ方向から図示しない相手側同軸コネクタを内部に導入できる。又、筒状シェル８６は、その他方の端部からＬ形誘電体棒８４ｄを挿入できる（図１５参照）。図１５を参照して、図示しない相手側同軸コネクタを筒状シェル８６の内部に導入すると、図示しない相手側中心コクタクトを中心コンタクト８４ｃに接続できる。つまり、中心コンタクト８４ｃは、同軸ケーブルの芯線と電気的に接続できる。
【００１９】
図１４を参照すると、筒状シェル８５は、フランジ部８５ｆを端部に形成している。同様に、筒状シェル８６は、フランジ部８６ｆを端部に形成している。一方、接地板８２は、二つの穴８２ｈを開口している。フランジ部８５ｆが接地板８２の他方の面に当接した状態で、筒状シェル８５を一方の穴８２ｈに挿入でき、フランジ部８６ｆが接地板８２の他方の面に当接した状態で、筒状シェル８６を他方の穴８２ｈに挿入できる。これにより、一組の筒状シェル８５・８６を略平行に配置できる。
【００２０】
図１１又は図１４及び図１６を参照すると、接地板８２は、ＤＩＰ端子８２ｔを端部に有している。ＤＩＰ端子８２ｔは、図示しないプリント基板にハンダ接合できる。ＤＩＰ端子８２ｔを図示しないプリント基板にハンダ接合することで、一組の筒状シェル８５・８６と図示しないプリント基板に形成したグラウンドパターンを同電位にできる。
【００２１】
図１１又は図１５及び図１６を参照すると、同軸コネクタ８は、一対のリング状の接地クリップ８７・８７を更に備えている。接地クリップ８７は、一対のＤＩＰ端子８７ｔ・８７ｔを有している。
【００２２】
図１５を参照して、一組のＬ形筒状分割シェル８３１・８３２の他端部を一方の接地クリップ８７の内部に導入し、一方の接地クリップ８７を外周方向から圧縮することで、一組のＬ形筒状分割シェル８３１・８３２の他端部を離間が困難に保持できる。一組のＬ形筒状分割シェル８３１・８３２の一端部を筒状シェル８５の内部に嵌合することで、一組のＬ形筒状分割シェル８３１・８３２の一端部を離間が困難に保持できる。
【００２３】
図１５又は図１６を参照して、一組のＬ形筒状分割シェル８４１・８４２の他端部を他方の接地クリップ８７の内部に導入し、他方の接地クリップ８７を外周方向から圧縮することで、一組のＬ形筒状分割シェル８４１・８４２の他端部を離間が困難に保持できる。一組のＬ形筒状分割シェル８４１・８４２の一端部を筒状シェル８５の内部に嵌合することで、一組のＬ形筒状分割シェル８４１・８４２の一端部を離間が困難に保持できる。
【００２４】
図１１又は図１６を参照すると、ＤＩＰ端子８７ｔは、図示しないプリント基板にハンダ接合できる。ＤＩＰ端子８７ｔを図示しないプリント基板にハンダ接合することで、一組のＬ形筒状シェル８３ｓ・８４ｓと図示しないプリント基板に形成したグラウンドパターンを同電位にできる。
【００２５】
図１５に示した状態で、一組のＬ形筒状シェル８３ｓ・８４ｓをオーバーモールドすることで、一組の筒状シェル８５・８６を一方の側面から突出したハウジング８１を構成できる（図１１又は図１６参照）。
【００２６】
特許文献１による同軸コネクタは、モジュール化される単純で効率的なサイドエントリータイプの角型の同軸コネクタを提供できると、している。
【００２７】
しかし、特許文献１による同軸コネクタは、中心コンタクトの中間部から終端部に至るまで、空気より比誘電率の大きいＬ形誘電体棒で連続して覆われているので、小型の同軸コネクタで高周波の信号を伝送することが困難になる、という問題がある。円筒状シェルで囲われた中心コンタクトの中間部の間に比誘電率の小さい空気層を介在することで、円筒状シェルの外径を小さくすることができ、小型の同軸コネクタで高周波の信号を伝送することが容易な同軸コネクタが求められている。
【００２８】
図１７は、第２の従来技術による同軸コネクタの構成を示す斜視分解組立図である。図１８は、第２の従来技術による同軸コネクタの構成を示す斜視図である。図１９は、第２の従来技術による同軸コネクタの構成を示す縦断面図である。
【００２９】
図２０は、第２の従来技術による同軸コネクタの構成を示す側面図であり、一方の鍔付き分割シェルの内面側から観た状態図である。図２１は、第２の従来技術による同軸コネクタの構成を示す側面図である。図２２は、第２の従来技術による同軸コネクタの構成を示す縦断面図である。
【００３０】
なお、本願の図１７と図１８は、特許文献２の図２と図３に相当している。又、本願の図１９と図２０は、特許文献２の図４と図６に相当している。更に、本願の図２１と図２２は、特許文献２の図７と図８に相当している。
【００３１】
図１７から図２２を参照すると、第２の従来技術による同軸コネクタ９は、直方体状のハウジング９１とシェル９２を備えている。シェル９２は、同軸コネクタ９の外殻を構成している（図２１又は図２２参照）。又、同軸コネクタ９は、Ｌ字状の中心コンタクト９３、Ｌ形円柱状誘電体９４、及び、一組のＬ形筒状分割シェル９５・９６を備えている。
【００３２】
図１９を参照すると、中心コンタクト９３は、導電性を有する細径棒状部材からなり、一端部側に対して他端部側をＬ字状に湾曲している。中心コンタクト９３は、プリント基板９ｐにハンダ接合できるＤＩＰ端子９３２を他端部側の端部に有している（図２１又は図２２参照）。
【００３３】
図１７を参照すると、Ｌ形円柱状誘電体９４は、一端部側に対して他端部側をＬ字状に湾曲している。Ｌ形円柱状誘電体９４は、外周から中心軸に向かって穿設したＬ字状の溝９４ｄを開口している。溝９４ｄには、中心コンタクト９３を底部に収容できる。
【００３４】
図１９又は図２２を参照すると、中心コンタクト９３を溝９４ｄに収容した状態では、中心コンタクト９３の一端部側に設けた接続端子９３１をＬ形円柱状誘電体９４の一方の面から突出している。又、中心コンタクト９３を溝９４ｄに収容した状態では、中心コンタクト９３の他端部側に設けたＤＩＰ端子９３２をＬ形円柱状誘電体９４の他方の面から突出している。
【００３５】
図１７を参照すると、一方のＬ形筒状分割シェル９５は、Ｌ字状に屈曲した導入路を形成し、半円弧状に湾曲した樋部９５ｄを有している。樋部９５ｄには、Ｌ形円柱状誘電体９４を一方の外周方向から導入できる。又、一方のＬ形筒状分割シェル９５は、樋部９５ｄの周囲に平坦な鍔部９５ｆを延在させている。
【００３６】
同様に、図１７を参照すると、他方のＬ形筒状分割シェル９６は、Ｌ字状に屈曲した導入路を形成し、半円弧状に湾曲した樋部９６ｄを有している。樋部９６ｄには、Ｌ形円柱状誘電体９４を他方の外周方向から導入できる。又、他方のＬ形筒状分割シェル９６は、樋部９６ｄの周囲に平坦な鍔部９６ｆを延在させている。
【００３７】
図１７を参照して、一方の樋部９５ｄ又は他方の樋部９６ｄにＬ形筒状分割シェル９６を導入し、一方の鍔部９５ｆと他方の鍔部９６ｆを密着することで、Ｌ形円柱状誘電体９４を挟持できる（図１８参照）。
【００３８】
図１７を参照すると、一方のＬ形筒状分割シェル９５は、折り曲げ自在なタブ９５ｔを２カ所に設けている。他方のＬ形筒状分割シェル９６は、タブ９５ｔに係合自在なノッチ９６ｎを設けている。一方のＬ形筒状分割シェル９５と他方のＬ形筒状分割シェル９６とを重ね合せた状態で、二つのタブ９５ｔを他方の鍔部９６ｆに折り曲げることで、一組のＬ形筒状分割シェル９５・９６を分離困難に保持できる（図１８参照）。
【００３９】
図１７を参照すると、一方の鍔部９５ｆは、一対のＤＩＰ端子９５１・９５１を一辺側から突出している。同様に、他方の鍔部９６ｆは、一対のＤＩＰ端子９６１・９６１を一辺側から突出している。ＤＩＰ端子９５１とＤＩＰ端子９６１を重ね合わせた状態で、プリント基板９ｐに形成したスルーホールに挿入できる（図２１又は図２２参照）。そして、一組のＤＩＰ端子９５１・９６１をスルーホールにハンダ接合することで、一組のＬ形筒状分割シェル９５・９６とプリント基板９ｐを電気的に接続できる（図２１又は図２２参照）。
【００４０】
図１７を参照すると、一方のＬ形筒状分割シェル９５は、スラグ９５２を介して、キャリア帯９５３と繋がっている。キャリア帯９５３の長手方向に沿って、複数のＬ形筒状分割シェル９５が連鎖している。
【００４１】
同様に、図１７を参照すると、他方のＬ形筒状分割シェル９６は、スラグ９６２を介して、キャリア帯９６３と繋がっている。キャリア帯９６３の長手方向に沿って、複数のＬ形筒状分割シェル９５が連鎖している。
【００４２】
図１７を参照して、キャリア帯９５３とキャリア帯９６３を重ね合わせることで、一方のＬ形筒状分割シェル９５と他方のＬ形筒状分割シェル９６とを重ね合わせることができる。そして、二つのタブ９５ｔを他方の鍔部９６ｆに折り曲げた後に（図１８参照）、スラグ９５２・９６２の基端部を切断することで（図２０参照）、個別のＬ形筒状シェル９０を得えることができる（図１８参照）。Ｌ形筒状シェル９０をハウジング９１に組み込むことで（図２２参照）、一連の組立作業を終了する。
【００４３】
図２２を参照して、一組のＬ形筒状分割シェル９５・９６で構成した接続開口９１ｈに、同軸ケーブルの端末に取り付けた相手側同軸コネクタ（図示せず）を挿入でき、相手側同軸コネクタとプリント基板９ｐを電気的に接続できる。
【００４４】
特許文献２による同軸コネクタは、組立の自動化が容易なサイドエントリータイプの角型の同軸コネクタを提供できると、している。
【００４５】
しかし、特許文献２による同軸コネクタは、中心コンタクトの中間部から終端部に至るまで、空気より比誘電率の大きいＬ形誘電体棒で連続して覆われているので、小型の同軸コネクタで高周波の信号を伝送することが困難になる、という問題がある。円筒状シェルで囲われた中心コンタクトの中間部の間に比誘電率の小さい空気層を介在することで、円筒状シェルの外径を小さくすることができ、小型の同軸コネクタで高周波の信号を伝送することが容易な同軸コネクタが求められている。そして、以上のことが本発明の課題といってよい。
【００４６】
本発明は、このような課題に鑑みてなされたものであり、円筒状のシェルで囲われた中心コンタクトに空気層を介在することで、小型化した同軸コネクタを提供することを目的とする。
【課題を解決するための手段】
【００４７】
本発明者は、プリント基板に設置したハウジングの端部から、プリント基板の一方の面と略平行に突出してプリント基板に至る、円筒状のシェルの内部に中心コンタクトを配置し、シェルの内部に収容されると共に、中心コンタクトを中心部に支持する一組の円板状の誘電体を筒状シェルの軸方向に離隔して配置することで、円筒状シェルで囲われた中心コンタクトに空気層を介在できると考え、これに基づいて、以下のような新たな同軸コネクタを発明するに至った。
【００４８】
（１）本発明による同軸コネクタは、プリント基板の一方の面に実装でき、同軸ケーブルの端末に接続した相手側同軸コネクタを着脱自在に接続できる同軸コネクタであって、前記相手側同軸コネクタを導入自在に一方の面を開口した収容室を一端部側に有する直方体状のハウジングと、前記プリント基板の一方の面と略平行に、前記ハウジングの他端部側に突出し、軸方向に湾曲して前記プリント基板の一方の面に至る、円筒状のシェルと、前記シェルの軸中心に沿って、当該シェルの内部に当該シェルと同軸に配置された中心コンタクトと、前記シェルの内部に収容されると共に、前記中心コンタクトを中心部に支持する一組の円板状の誘電体と、を備え、前記シェルは、一組の前記誘電体を前記中心コンタクトの軸方向に離隔して配置し、一組の前記誘電体の間に空気層を設けている。
【００４９】
（２）前記中心コンタクトは、一組の前記誘電体を一体モールドし、前記シェルは、一組の前記誘電体を外周方向から囲う、半円筒状の一組の分割シェルからなることが好ましい。
【００５０】
（３）一組の前記分割シェルは、外周の端縁同士をレーザー溶接で接合していることが好ましい。
【００５１】
（４）前記ハウジングは、前記相手側同軸コネクタに設けたロックレバーを係止自在なラッチ溝を前記収容室の内壁に穿設していることが好ましい。
【００５２】
（５）前記ハウジングは、当該ハウジングの両側面に固定し、前記プリント基板の一方の面に底面をハンダ接合自在な一対の補強タブ板を更に備えることが好ましい。
【発明の効果】
【００５３】
本発明による同軸コネクタは、一組の誘電体を中心コンタクトの軸方向に離隔して配置し、一組の誘電体の間に空気層を設けた円筒状のシェルを備えているので、シェルの外径を小さくでき、同軸コネクタの小型化も可能になる。
【図面の簡単な説明】
【００５４】
【図１】本発明の一実施形態による同軸コネクタの構成を示す斜視図であり、同軸コネクタをプリント基板の一方の面に実装した状態図である。
【図２】前記実施形態による同軸コネクタの構成を示す斜視図であり、プリント基板の一方の面に実装した状態の同軸コネクタを図１と反対側から観ている。
【図３】前記実施形態による同軸コネクタの構成を示す斜視分解組立図である。
【図４】前記実施形態による同軸コネクタに備わるハウジングの構成を示す図であり、図４（Ａ）は、ハウジングの平面図、図４（Ｂ）は、ハウジングの正面図、図４（Ｃ）は、ハウジング背面図である。
【図５】前記実施形態による同軸コネクタに備わるハウジングの構成を示す斜視図であり、図５（Ａ）は、ハウジングを背面、上面、及び左側面から観た状態図、図５（Ｂ）は、ハウジングを背面、下面、及び右側面から観た状態図、図５（Ｃ）は、ハウジングを背面、及び右側面から観た状態図である。
【図６】前記実施形態による同軸コネクタの要部を拡大した斜視図であり、一組の誘電体付き中心コンタクトを一組の分割シェルで囲う前の状態図である。
【図７】前記実施形態による同軸コネクタに備わる中心コンタクトの構成を示す正面図であり、一組の誘電体を中心コンタクトに一体モールドした状態図である。
【図８】前記実施形態による同軸コネクタに備わる中心コンタクトの構成を示す斜視図である。
【図９】前記実施形態による同軸コネクタの構成を示す縦断面図であり、図９（Ａ）は、相手側同軸コネクタを接続する前の状態図、図９（Ｂ）は、相手側同軸コネクタを接続した状態図である。
【図１０】前記実施形態による同軸コネクタの構成を示す斜視図であり、相手側同軸コネクタを接続した状態を縦断面で示している。
【図１１】第１の従来技術による同軸コネクタの構成を示す斜視図である。
【図１２】第１の従来技術による同軸コネクタに備わる一組のＬ形誘電体棒の構成を示す斜視図である。
【図１３】第１の従来技術による同軸コネクタに備わる一組のＬ形誘電体棒の構成を示す斜視図である。
【図１４】第１の従来技術による同軸コネクタに備わる接地板、及び、一組の筒状シェルの構成を示す斜視図である。
【図１５】第１の従来技術による同軸コネクタの要部の構成を縦断面で示す斜視図である。
【図１６】第１の従来技術による同軸コネクタの構成を示す斜視図であり、同軸コネクタを底面側から観た状態図である。
【図１７】第２の従来技術による同軸コネクタの構成を示す斜視分解組立図である。
【図１８】第２の従来技術による同軸コネクタの構成を示す斜視図である。
【図１９】第２の従来技術による同軸コネクタの構成を示す縦断面図である。
【図２０】第２の従来技術による同軸コネクタの構成を示す側面図であり、一方の鍔付き分割シェルの内面側から観た状態図である。
【図２１】第２の従来技術による同軸コネクタの構成を示す側面図である。
【図２２】第２の従来技術による同軸コネクタの構成を示す縦断面図である。
【発明を実施するための形態】
【００５５】
以下、図面を参照して本発明を実施するための形態を説明する。
［同軸コネクタの構成］
最初に、本発明の一実施形態による同軸コネクタの構成を説明する。
【００５６】
図１は、本発明の一実施形態による同軸コネクタの構成を示す斜視図であり、同軸コネクタをプリント基板の一方の面に実装した状態図である。図２は、前記実施形態による同軸コネクタの構成を示す斜視図であり、プリント基板の一方の面に実装した状態の同軸コネクタを図１と反対側から観ている。
【００５７】
図３は、前記実施形態による同軸コネクタの構成を示す斜視分解組立図である。図４は、前記実施形態による同軸コネクタに備わるハウジングの構成を示す図であり、図４（Ａ）は、ハウジングの平面図、図４（Ｂ）は、ハウジングの正面図、図４（Ｃ）は、ハウジング背面図である。
【００５８】
図５は、前記実施形態による同軸コネクタに備わるハウジングの構成を示す斜視図であり、図５（Ａ）は、ハウジングを背面、上面、及び左側面から観た状態図、図５（Ｂ）は、ハウジングを背面、下面、及び右側面から観た状態図、図５（Ｃ）は、ハウジングを背面、及び右側面から観た状態図である。
【００５９】
図６は、前記実施形態による同軸コネクタの要部を拡大した斜視図であり、一組の誘電体付き中心コンタクトを一組の分割シェルで囲う前の状態図である。図７は、前記実施形態による同軸コネクタに備わる中心コンタクトの構成を示す正面図であり、一組の誘電体を中心コンタクトに一体モールドした状態図である。
【００６０】
図８は、前記実施形態による同軸コネクタに備わる中心コンタクトの構成を示す斜視図である。図９は、前記実施形態による同軸コネクタの構成を示す縦断面図であり、図９（Ａ）は、相手側同軸コネクタを接続する前の状態図、図９（Ｂ）は、相手側同軸コネクタを接続した状態図である。
【００６１】
図１０は、前記実施形態による同軸コネクタの構成を示す斜視図であり、相手側同軸コネクタを接続した状態を縦断面で示している。
【００６２】
なお、従来技術で用いた符号と同じ符号を付した構成品は、その作用を同じとするので、以下説明を省略する場合がある。
【００６３】
（全体構成）
図１から図１０を参照すると、本発明の一実施形態による同軸コネクタ１０は、プリント基板９ｐの一方の面９１ｐに実装でき、同軸ケーブルＣｂの端末に接続した相手側同軸コネクタ（以下、同軸プラグという）２０を着脱自在に接続できる。
【００６４】
図１から図１０を参照すると、同軸コネクタ１０は、直方体状のハウジング１と金属製の円筒状のシェル２を備えている。又、同軸コネクタ１０は、棒状の中心コンタクト３と一組の円板状の誘電体４ａ・４ｂを備えている。
【００６５】
図２又は図５及び図９（Ａ）を参照すると、ハウジング１は、収容室１１を一端部側に有している。収容室１１は、ハウジング１の一方の面を矩形に開口している。そして、収容室１１には、同軸プラグ２０を導入できる（図９参照）。
【００６６】
図１又は図３及び図９又は図１０を参照すると、シェル２は、プリント基板９ｐの一方の面９１ｐと略平行に、ハウジング１の他端部側に突出している。そして、シェル２は、その軸方向に湾曲して、プリント基板９ｐの一方の面９１ｐに至っている。実施の形態では、シェル２は、半円筒状の一組の分割シェル２ａ・２ｂで構成している（図６参照）。
【００６７】
図６又は図９及び図１０を参照すると、中心コンタクト３は、シェル２の内部に配置されている。中心コンタクト３は、シェル２の軸中心に沿って、シェル２と同軸に配置されている。
【００６８】
図６又は図７を参照すると、一組の誘電体４ａ・４ｂは、シェル２の内部に収容されている。一組の誘電体４ａ・４ｂは、中心コンタクト３を中心部に支持している。実施の形態では、中心コンタクト３は、一組の誘電体４ａ・４ｂを一体モールドしている。
【００６９】
図６又は図９及び図１０を参照すると、シェル２は、一組の誘電体４ａ・４ｂを中心コンタクト３の軸方向に離隔して配置している。そして、シェル２は、一組の誘電体４ａ・４ｂの間に空気層Ａｓを設けている。
【００７０】
実施形態による同軸コネクタ１０は、一組の誘電体４ａ・４ｂを中心コンタクト３の軸方向に離隔して配置し、一組の誘電体４ａ・４ｂの間に空気層Ａｓを設けた円筒状のシェル２を備えているので、シェル２の外径を小さくでき、同軸コネクタ１０の小型化も可能になる。
【００７１】
（ハウジングの構成）
次に、実施形態によるハウジング１の構成を説明する。図１から図５を参照すると、ハウジング１は、絶縁体からなることが好ましく、絶縁性を有する合成樹脂を成形して、直方状のハウジング１を得ることができる。
【００７２】
図１から図５を参照すると、ハウジング１は、他方の面及び底面を開口した凹部１２を収容室１１と反対側に有している。凹部１２には、シェル２を収容できる。又、ハウジング１は、収容室１１と凹部１２を隔てる隔壁１２ｗを有している（図４（Ｂ）又は図５（Ｃ）参照）。隔壁１２ｗには、圧入穴１２ｈを開口している（図４（Ｃ）又は図５（Ｃ）参照）。
【００７３】
図４（Ｃ）又は図５（Ｃ）を参照すると、圧入穴１２ｈには、凹部１２から収容室１１に向かって、シェル２の一端部側を圧入できる（図９（Ａ）参照）。これにより、シェル２をハウジング１に固定できる。
【００７４】
図４（Ｃ）又は図５（Ｃ）を参照すると、ハウジング１は、一対の突条１１１・１１１を収容室１１の内壁から突出している。一対の突条１１１・１１１は、同軸プラグ２０を構成するハウジング２１に設けた方形の溝（図示せず）に嵌合して案内できる（図９（Ａ）参照）。又、一対の突条１１１・１１１は、同軸プラグ２０の誤挿入を防止するキーとして機能している（図９参照）。
【００７５】
図９（Ｂ）又は図１０を参照すると、ハウジング１は、ラッチ溝１１ｒを収容室１１の内壁に穿設している。ラッチ溝１１ｒには、同軸プラグ２０に設けたロックレバー２１ｒを係止できる（図９参照）。
【００７６】
図１から図３を参照すると、ハウジング１は、一対の矩形の補強タブ板５・５を更に備えている。又、図４（Ａ）を参照すると、ハウジング１は、互いに向かい合う一対の方形溝１１ｄ・１１ｄを両側面に形成している。一対の方形溝１１ｄ・１１ｄに補強タブ板５を圧入することで、ハウジング１の両側面に一対の補強タブ板５・５を固定できる。補強タブ板５の底面をプリント基板９ｐの一方の面９１ｐにハンダ接合することで、ハウジング１をプリント基板９ｐに固定できる（図１又は図２参照）。
【００７７】
（シェル及び分割シェルの構成）
次に、実施形態によるシェル２及び一対の分割シェル２ａ・２ｂの構成を説明する。図６を参照すると、分割シェル２ａ・２ｂは、導電性を有する金属体からなることが好ましく、導電性を有する金属体を成形して、半円筒状の一組の分割シェル２ａ・２ｂを得ることができる。
【００７８】
図６を参照して、一組の誘電体４ａ・４ｂ付き中心コンタクト３を一方の分割シェル２ａに収容した状態で、他方の分割シェル２ｂで一組の誘電体４ａ・４ｂ付き中心コンタクト３を囲うことが好ましい。一組の分割シェル２ａ・２ｂの外周の端縁同士をレーザー溶接で接合することで、隙間の無い筒状のシェル２を得ることができる。そして、高周波の信号を中心コンタクト３に伝送することが容易になる。
【００７９】
図９又は図１０を参照すると、シェル２の他方の端縁は、プリント基板９ｐの一方の面９１ｐにハンダ接合することが好ましく、シェル２とプリント基板９ｐに形成したグラウンドパターン（図示せず）を電気的に接続できる。
【００８０】
（中心コンタクトの構成）
次に、実施形態による中心コンタクト３の構成を説明する。図６から図８を参照すると、中心コンタクト３は、導電性を有する金属棒からなることが好ましく、導電性を有する金属棒を折り曲げて一端部に対して他端部が湾曲した中心コンタクト３を得ることができる。中心コンタクト３は、銅合金からなることが好ましいが、銅合金に限定されない。
【００８１】
図６から図８を参照すると、中心コンタクト３は、コンタクト端子３１を一端部に有し、ＤＩＰ端子３２を他端部に有している。コンタクト端子３１は、同軸プラグ２０に配置した中心コンタクト２３と接続できる（図９又は図１０参照）。
【００８２】
図９又は図１０を参照すると、ＤＩＰ端子３２は、プリント基板９ｐに形成したスルーホールＨｔに接続している。ＤＩＰ端子３２は、プリント基板９ｐにスルーホール実装できるが、スルーホールＨｔに挿入した後に、シェル２の他方の端縁と共に表面実装することもできる。
【００８３】
（相手側同軸コネクタの構成）
次に、実施形態による同軸プラグ２０の構成を説明する。図９又は図１０を参照すると、同軸プラグ２０は、同軸ケーブルＣｂの端末に固定している。同軸ケーブルＣｂは、単線又は撚線からなる円形の中心導体Ｗｃ、中心導体Ｗｃの周囲を囲うフッ素系樹脂などの誘電体Ｄｉ、誘電体Ｄｉの周囲を囲う編組線などの外部導体Ｗｂ、及び、外部導体Ｗｂを被覆保護する絶縁シースＷｉで構成している。
【００８４】
図９又は図１０を参照すると、同軸プラグ２０は、直方体状のハウジング２１と金属製の円筒状のシェル２２を備えている。又、同軸プラグ２０は、中心コンタクト２３と一組の円板状の誘電体２４ａ・２４ｂを備えている。
【００８５】
図９又は図１０を参照すると、シェル２２は、その中間がハウジング２１に支持されている。シェル２２は、その一端部を外部導体Ｗｂに接続している。シェル２２の他端部は、シェル２と接続できる。中心コンタクト２３は、その一端部を中心導体Ｗｃに結線している。中心コンタクト２３の他端部は、中心コンタクト３と接続できる。一組の誘電体２４ａ・２４ｂは、中心コンタクト２３がシェル２２と同軸になるように、シェル２２の内部に配置されている。
【００８６】
［同軸コネクタの作用］
次に、実施形態による同軸コネクタ１０の作用及び効果を説明する。図１から図１０を参照すると、同軸コネクタ１０は、一組の誘電体４ａ・４ｂを中心コンタクト３の軸方向に離隔して配置し、一組の誘電体４ａ・４ｂの間に空気層Ａｓを設けた円筒状のシェル２を備えているので、シェル２の外径を小さくでき、同軸コネクタ１０の小型化も可能になる。
【００８７】
又、図９又は図１０を参照すると、実施形態による同軸コネクタ１０は、シェル２の他方の端縁をプリント基板９ｐの一方の面９１ｐにハンダ接合しているので、終端部でのインピーダンスの不整合を抑制できる。
【００８８】
更に、図６又は図９及び図１０を参照すると、実施形態による同軸コネクタ１０は、一組の分割シェル２ａ・２ｂの外周の端縁同士をレーザー溶接で接合することで、隙間の無い筒状のシェル２を得ることができる。そして、高周波の信号を中心コンタクト３に伝送することが容易になる。
【符号の説明】
【００８９】
１  ハウジング
２  シェル
３  中心コンタクト
４ａ・４ｂ  一組の誘電体
９ｐ  プリント基板
１０  同軸コネクタ
１１  収容室
２０  同軸プラグ（相手側同軸コネクタ）
９１ｐ  プリント基板の一方の面
Ａｓ  空気層
Ｃｂ  同軸ケーブル
【図１】
2018063892.tif 000003
【図２】
2018063892.tif 000004
【図３】
2018063892.tif 000005
【図４】
2018063892.tif 000006
【図５】
2018063892.tif 000007
【図６】
2018063892.tif 000008
【図７】
2018063892.tif 000009
【図８】
2018063892.tif 000010
【図９】
2018063892.tif 000011
【図１０】
2018063892.tif 000012
【図１１】
2018063892.tif 000013
【図１２】
2018063892.tif 000014
【図１３】
2018063892.tif 000015
【図１４】
2018063892.tif 000016
【図１５】
2018063892.tif 000017
【図１６】
2018063892.tif 000018
【図１７】
2018063892.tif 000019
【図１８】
2018063892.tif 000020
【図１９】
2018063892.tif 000021
【図２０】
2018063892.tif 000022
【図２１】
2018063892.tif 000023
【図２２】
2018063892.tif 000024